(57)【要約】【課題】液晶パネルがケースの液晶パネル収納部の正規の位置に設置されない事態が発生することを極力回避すると共に、液晶パネル収納部に対する液晶パネルの位置ずれが発生した場合、位置ずれの検知が容易な液晶パネルの取り付け構造を提供する。【解決手段】ケース３の液晶パネル収納部５に液晶パネル７を設置し、この液晶パネル７をベゼル９で覆い、このベゼル９をケース３に固定することで、液晶パネル７をケース３に取り付ける液晶パネルの取り付け構造１において、ケース３には、液晶パネル７とベゼル９とを正規位置に位置決めするための位置決めボス１１が設けられており、ベゼル９には、ベゼル９が正規位置に位置した状態で、位置決めボス１１が挿入される位置決め穴１３が設けられている。【選択図】図１
2010243620.tif 000002
【特許請求の範囲】
【請求項１】
ケースの液晶パネル収納部に液晶パネルを設置し、この液晶パネルをベゼルで覆い、このベゼルを前記ケースに固定することで、前記液晶パネルをケースに取り付ける液晶パネルの取り付け構造において、
前記ケースには、前記液晶パネル収納部に対して前記液晶パネルと前記ベゼルとを正規位置に位置決めするための位置決めボスが設けられており、
前記ベゼルには、前記ベゼルが前記ケースに対して正規位置に位置した状態で、前記位置決めボスが挿入される位置決め穴が設けられていることを特徴とする液晶パネルの取り付け構造。
【請求項２】
請求項１に記載の液晶パネルの取り付け構造において、
前記液晶パネルが矩形状に形成されており、
前記ベゼルが前記液晶パネルの周辺部を覆う矩形な環状に形成されており、
前記位置決めボスは、前記液晶パネル収納部の横方向で前記ベゼルを位置決めする第１のボスと、前記液晶パネル収納部の縦方向で前記ベゼルを位置決めする第２のボスとからなり、
前記位置決め穴は、前記第１のボスが挿入される第１の穴と、前記第２のボスが挿入される第２の穴とからなり、
前記各ボスと前記各穴とは、前記液晶パネル収納部および前記ベゼルの１つの角部もしくはこの近傍に設けられていることを特徴とする液晶パネルの取り付け構造。
【請求項３】
請求項１または請求項２に記載の液晶パネルの取り付け構造において、
前記位置決めボスは四角柱状に形成されており、
前記位置決め穴は、前記位置決めボスが嵌合可能な矩形状の穴で形成されていることを特徴とする液晶パネルの取り付け構造。
【発明の詳細な説明】
【技術分野】
【０００１】
本発明は、液晶パネルの取り付け構造に係り、特に、ケースの液晶パネル収納部に液晶パネルを設置し、この液晶パネルをベゼルで覆い、このベゼルをケースに固定することで、液晶パネルをケースに取り付けるものに関する。
【背景技術】
【０００２】
従来、液晶パネルをケース等に取り付ける構造として、たとえば、特許文献１に示すものが知られている。
【０００３】
特許文献１に記載の液晶パネルの取り付け構造は、大きさの異なる複数種類の液晶パネルの中から選ばれた液晶パネルを、一種類の筐体に取り付けるための取り付け構造である。
【０００４】
特許文献１に記載の液晶パネルの取り付け構造では、複数種類の液晶パネルごとに用意された取り付け具を有しており、これら取り付け具のそれぞれが、対応する液晶パネルに設けられたパネル側取り付け部の位置に応じて形成された第一取り付け部と、筐体に設けられた筐体側取り付け部の位置に応じて形成された第二取り付け部とを有している。
【０００５】
そして、選ばれた液晶パネルを、この液晶パネルに設けられたパネル側取り付け部の位置に応じて第一取り付け部が形成されている取り付け具を用いて、筐体に取り付けた構造としてある。
【０００６】
このような取り付け構造によれば、液晶パネルに設けられたパネル側取り付け部の位置が表示部筐体に設けられた筐体側取り付け部の位置と合致しないときであっても、パネル側取り付け部の位置や形状に応じて形成された第一取り付け部と、筐体側取り付け部の位置や形状に応じて形成された第二取り付け部とを有する取り付け具を使用することにより、該パネルをその筐体に取り付けることができる。
【０００７】
しかしながら、上記従来の取り付け構造では、複数の取付具（特許文献１の図３に示す各取付具５００−１，５００−２）が必要であり、部品点数が多く、液晶パネルを取り付けるのに多くの工数を必要とする。
【０００８】
そこで、たとえば、自動車用の計器内に液晶表示装置を設ける場合、図８（従来の液晶パネルの取り付け構造を示す斜視図）や図９（図８におけるＩＸ部の拡大図）に示すような取り付け構造２００が採用されている。
【０００９】
図８や図９に示す取り付け構造２００では、ケース２０２内に液晶パネル収納部（ＬＣＤ収納部）２０４と位置決め規制部２０６等とを設けてある。そして、位置決め規制部２０６でガイドすることによって液晶パネル収納部２０４に液晶パネル（ＬＣＤ）２０８を収納し、金属性のベゼル２１０によって液晶パネル２０８を上面より覆い、係合爪２１２を用いてケース２０２にベゼル２１０を係合して固定することにより、液晶パネル２０８をケース２０２に固定している。
【先行技術文献】
【特許文献】
【００１０】
【特許文献１】特許第３３５６１３１号公報
【発明の概要】
【発明が解決しようとする課題】
【００１１】
しかしながら、図８や図９に示す構造では、液晶パネル２０８を液晶パネル収納部２０４に設置する場合、液晶パネル２０８が液晶パネル収納部２０４の正規の位置に収まらない事態が発生するという問題がある。液晶パネル２０８が液晶パネル収納部２０４の正規の位置に収まっていない状態でベゼル２１０をかぶせて設置すると、液晶パネル２０８が破損する等の不具合が発生するおそれがある。
【００１２】
本発明は、上記問題点に鑑みてなされたものであり、液晶パネルがケースの液晶パネル収納部の正規の位置に設置されない事態が発生することを極力回避すると共に、液晶パネル収納部に対する液晶パネルの位置ずれが発生した場合、位置ずれの検知が容易な液晶パネルの取り付け構造を提供することを目的とする。
【課題を解決するための手段】
【００１３】
請求項１に記載の発明は、ケースの液晶パネル収納部に液晶パネルを設置し、この液晶パネルをベゼルで覆い、このベゼルを前記ケースに固定することで、前記液晶パネルをケースに取り付ける液晶パネルの取り付け構造において、前記ケースには、前記液晶パネル収納部に対して前記液晶パネルと前記ベゼルとを正規位置に位置決めするための位置決めボスが設けられており、前記ベゼルには、前記ベゼルが前記ケースに対して正規位置に位置した状態で、前記位置決めボスが挿入される位置決め穴が設けられている液晶パネルの取り付け構造である。
【００１４】
請求項２に記載の発明は、請求項１に記載の液晶パネルの取り付け構造において、前記液晶パネルが矩形状に形成されており、前記ベゼルが前記液晶パネルの周辺部を覆う矩形な環状に形成されており、前記位置決めボスは、前記液晶パネル収納部の横方向で前記ベゼルを位置決めする第１のボスと、前記液晶パネル収納部の縦方向で前記ベゼルを位置決めする第２のボスとからなり、前記位置決め穴は、前記第１のボスが挿入される第１の穴と、前記第２のボスが挿入される第２の穴とからなり、前記各ボスと前記各穴とは、前記液晶パネル収納部および前記ベゼルの１つの角部もしくはこの近傍に設けられている液晶パネルの取り付け構造である。
【００１５】
請求項３に記載の発明は、請求項１または請求項２に記載の液晶パネルの取り付け構造において、前記位置決めボスは四角柱状に形成されており、前記位置決め穴は、前記位置決めボスが嵌合可能な矩形状の穴で形成されている液晶パネルの取り付け構造である。
【発明の効果】
【００１６】
本発明によれば、液晶パネルがケースの液晶パネル収納部の正規の位置に設置されない事態が発生することを極力回避すると共に、液晶パネル収納部に対する液晶パネルの位置ずれが発生した場合、位置ずれの検知が容易な液晶パネルの取り付け構造を提供することができるという効果を奏する。
【図面の簡単な説明】
【００１７】
【図１】本発明の実施形態に係る液晶パネルの取り付け構造１を備えた液晶表示装置の概略構成を示す斜視図である。
【図２】図１におけるＩＩ部の拡大図である。
【図３】液晶パネル収納部５の一部（位置決めボス１１とこの周辺）を示した図であり、図２におけるＡ１の方向から液晶パネル収納部５を見た図である。
【図４】図３に示す液晶パネル収納部５の正規位置に液晶パネル７を設置した状態を示す図である。
【図５】図４に示す状態において、ケース３の正規位置にベゼル９を設置した状態を示す図である。
【図６】ケース３に設置した液晶パネル７が位置ずれをおこしている状態を示す図である。
【図７】図６に示す状態において、ベゼル９をさらにケース３に設置するときの態様を示す図である。
【図８】従来の液晶パネルの取り付け構造を示す図である。
【図９】図８のＩＸ部の拡大図である。
【発明を実施するための形態】
【００１８】
図１は本発明の実施形態に係る液晶パネルの取り付け構造１を備えた液晶表示装置の概略構成を示す斜視図であり、図２は、図１におけるＩＩ部の拡大図である。
【００１９】
図３は、液晶パネル収納部５の一部（位置決めボス１１とこの周辺）を示した図であり、図２におけるＡ１の方向から液晶パネル収納部５を見た図である。
【００２０】
図４は、図３に示す液晶パネル収納部５の正規位置に液晶パネル７を設置した状態を示す図であり、図５は、図４に示す状態において、ケース３の正規位置にベゼル９を設置した状態を示す図である。
【００２１】
液晶パネルの取り付け構造１では、ケース３の液晶パネル収納部５に液晶パネル７を設置するように構成されている。そして、設置された液晶パネル７を上面よりベゼル９で覆い、このベゼル９をケース３に固定することで、液晶パネル７をケース３に取り付けるように構成されている。
【００２２】
ケース３には、液晶パネル収納部５に対して液晶パネル（液晶表示パネル）７とベゼル９とを正規位置に位置決めするための位置決めボス（突起）１１（１１Ａ，１１Ｂ）が設けられている。位置決めボス１１は、液晶パネル収納部５に収納された液晶パネル７の周辺部（たとえば、角部近傍の周辺部）に設けられている。すなわち、液晶パネル収納部５の正規の位置に収納された液晶パネル７のたとえば角部から僅かに離れたところに、位置決めボス１１が位置しており、位置決めボス１１と液晶パネル収納部５の正規の位置に収納された液晶パネル７とはお互いが干渉しないようになっている。
【００２３】
ベゼル９には、位置決めボス１１が挿入される位置決め穴（貫通穴）１３（１３Ａ，１３Ｂ）が設けられている。位置決め穴１３への位置決めボス１１の挿入は、ベゼル９がケース３（液晶パネル収納部５）に対して正規位置に位置した状態（正規位置に設置するための組み立てをしている状態から組み立てが終了して正規位置に設置され状態）でなされるようになっている。
【００２４】
また、液晶パネル収納部５に設置される液晶パネル７は矩形な平板状に形成されており、ベゼル９は、液晶パネル７の周辺部を覆う矩形な環状に形成されている。ベゼルの中央部に形成されている矩形状の穴は、液晶表示用の開口部１５を形成している。
【００２５】
位置決めボス１１は、液晶パネル収納部５の横方向で、液晶パネル７とベゼル９とを位置決めする第１のボス（第１の突起）１１Ａと、液晶パネル収納部５の縦方向で、液晶パネル７とベゼル９とを位置決めする第２のボス（第２の突起）１１Ｂとからなっている。位置決め穴１３は、第１のボス１１Ａが挿入される第１の穴（第１の貫通孔）１３Ａと、第２のボス１１Ｂが挿入される第２の穴（第２の貫通孔）１３Ｂとからなっている。
【００２６】
各ボス１１Ａ，１１Ｂは、液晶パネル収納部５の１つの角部２１もしくはこの近傍に設けられている。各穴１３Ａ，１３Ｂは、ベゼル９の１つの角部１７もしくはこの近傍に設けられている。
【００２７】
また、位置決めボス１１（１１Ａ，１１Ｂ）は四角柱状に形成されており、位置決め穴１３（１３Ａ，１３Ｂ）は、位置決めボス１１（１１Ａ，１１Ｂ）が係合（嵌合可能）な矩形状の穴で形成されている。
【００２８】
さらに説明すると、ケース３は、たとえば樹脂を射出成形することにより形成されている。ケース３に設けられている液晶パネル収納部５は、ケース３に設けられた凹部で形成されている。凹部は、矩形な平面状の底部１９を備えている。液晶パネル収納部５の横寸法は、液晶パネル７の横寸法よりも僅かに大きくなっており、液晶パネル収納部５の縦寸法も、液晶パネル７の縦寸法より僅かに大きくなっている。四角柱状の各ボス１１Ａ，１１Ｂは、ケース３の本体部と一体成形されており、液晶パネル収納部５の底部１９における角部２１の近傍で底部１９から起立している。
【００２９】
第１のボス１１Ａは、液晶パネル収納部５の横方向における一端部に設けられており、第２のボス１１Ｂは、液晶パネル収納部５の縦方向における一端部に設けられている。さらに、各ボス１１Ａ，１１Ｂが液晶パネル収納部５の１つの角部２１もしくはこの近傍に設けられているので、各ボス１１Ａ，１１Ｂは、お互いが近接している。
【００３０】
ベゼル９は、たとえば、金属をプレス成形することによって形成されている。ベゼル９の第１の貫通穴１３Ａは、ベゼル９の横方向の一端部の近傍に設けられており、ベゼル９の第２の貫通穴１３Ｂは、ベゼル９の縦方向の一端部の近傍に設けられている。さらに、各貫通穴１３Ａ，１３Ｂがベゼル９の１つの角部１７もしくはこの近傍に設けられているので、各貫通穴１３Ａ，１３Ｂは、お互いが近接している。
【００３１】
ベゼル９の第１の貫通穴１３Ａの縦横寸法は、第１のボス１１Ａの縦横寸法よりも僅かに大きくなっている。ベゼル９の第２の貫通穴１３Ｂの縦横寸法も、第２のボス１１Ｂの縦横寸法より僅かに大きくなっている。
【００３２】
また、ベゼル９の周辺部には、弾性を備えた複数の係合爪２３が設けられている。これらの各係合爪２３が、ケース３に設けられている被係合部（図示せず）に係合して、ベゼル９がケース３に固定設置されるようになっている。
【００３３】
すなわち、液晶パネル収納部５の正規に位置に液晶パネル７を設置した状態で、ベゼル９をケース３に設置するときには、各ボス１１Ａ，１１Ｂがベゼル９の各貫通穴１３Ａ，１３Ｂに入り込んで、ケース３に対してベゼル９がこの縦方向および横方向で位置決めされると共に、係合爪２３がケース３の所定の部位（被係合部周辺の部位）に当接して弾性変形する。各ボス１１Ａ，１１Ｂがベゼル９の各貫通穴１３Ａ，１３Ｂに入り込み係合爪２３が弾性変形をした状態で、ベゼル９をさらにケース３側に移動させると、係合爪２３が被係合部に係合して弾性変形が解かれ、ベゼル９がケース３に一体的に設置されるようになっている。ベゼル９がケース３の正規の位置に設置されて固定された状態では、各ボス１１Ａ，１１Ｂが各貫通穴１３Ａ，１３Ｂの完全に入り込んで、各ボス１１Ａ，１１Ｂの上面３３，３５が、ベゼル９の上面から突出している。
【００３４】
ベゼル９がケース３の正規の位置に設置されて固定された状態では、液晶パネル７も、ケース３とベゼル９とで挟まれて、ケース３に一体的に設置されるようになっている。
【００３５】
なお、各ボス１１Ａ，１１Ｂがベゼル９の各貫通穴１３Ａ，１３Ｂに入り込むことによる位置決めは、図５で示すようにしてなされている。すなわち、四角柱状の第１のボス１１Ａの４つの側面のうちの１つの側面（液晶パネル収納部５の中央側を向いている側面）２５が、ベゼル９に設けられている矩形状の第１の貫通穴１３Ａの１つの辺（ベゼル９の内方に位置している面）２７に接触して、液晶パネル収納部５の横方向で、液晶パネル収納部５が設けられているケース３に対して、ベゼル９が位置決めされるようになっている。また、四角柱状の第２のボス１１Ｂが、第２の貫通穴１３Ｂに入り込んで、液晶パネル収納部５の縦方向で、液晶パネル収納部５が設けられているケース３に対して、ベゼル９が位置決めされるようになっている。
【００３６】
ここで、各ボス１１Ａ，１１Ｂが各貫通穴１３Ａ，１３Ｂに入り込んで、ケース３に対してベゼル９が位置決めされた状態について、図５を参照してさらに詳しく説明する。
【００３７】
ベゼル９の縦方向における第１のボス１１Ａと第１の貫通穴１３Ａとの間に生じる各隙間Ｇ１１，Ｇ１２は、所定の僅かな値になっている。ベゼル９の横方向における第１のボス１１Ａと第１の貫通穴１３Ａとの間では、一方の側にだけ隙間Ｇ１４が形成されている。すなわち、第１のボス１１Ａの１つの側面２５と第１の貫通穴１３Ａの１つの辺２７とがお互いに接触しているので、隙間Ｇ１３の値は「０」になっているが、ベゼル９の外側に位置している隙間Ｇ１４は、所定の僅かな値になっている。
【００３８】
また、ベゼル９の縦方向および横方向における第２のボス１１Ｂと第２の貫通穴１３Ｂとの間に生じる各隙間Ｇ２１，Ｇ２２，Ｇ２３，Ｇ２４は、所定の僅かな値になっている。
【００３９】
なお、上記各隙間Ｇ１１，Ｇ１２，Ｇ１３，Ｇ１４，Ｇ２１，Ｇ２２，Ｇ２３，Ｇ２４の値は、一つの例を示したものであって、ケース３に対するベゼル９の位置決めができるのであれば適宜変更してもよい。たとえば、各隙間Ｇ１３，Ｇ２３の値を「０」にし他の隙間を所定の僅かな値にしてもよい。また、たとえば、各隙間Ｇ１３，Ｇ１４，Ｇ２３，Ｇ２４の値を「０」にし、他の隙間を所定の僅かな値にしてもよい。
【００４０】
また、液晶パネル７が、各ボス１１Ａ，１１Ｂに接触することによって位置決めされていないが（液晶パネル７が、各ボス１１Ａ，１１Ｂに非接触で位置決めされているが）、液晶パネル７の端部（１つの角部近傍の端部）を各ボス１１Ａ，１１Ｂに接触させて、液晶パネル７を液晶パネル収納部５に対して位置決めする構成であってもよい。
【００４１】
また、第１のボス１１Ａの１つの側面２５と第１のボス１１Ａの上面３３との間には、面取りをしたようにして斜面２９が形成されている。斜面２９と第１のボス１１Ａの１つの側面２５との交差角度（第１のボス１１Ａの肉部における交差角度）は、斜面２９と第１のボス１１Ａの上面３３との交差角度（第１のボス１１Ａの肉部における交差角度）よりも大きくなっている。同様にして、第２のボス１１Ｂの１つの側面（液晶パネル収納部５の中央側を向いている側面）と第２のボス１１Ｂの上面３５との間にも、斜面３１が形成されている。
【００４２】
次に、ケース３への液晶パネル７、ベゼル９の設置手順について説明する。
【００４３】
まず、図３に示すようにケース３の液晶パネル収納部５になにも設置されていない状態で、液晶パネル収納部５の正規の位置に液晶パネル７を設置すると、図４に示す状態になる。図４に示す状態では、液晶パネル収納部５の正規の位置に液晶パネル７が設置されていると共に、液晶パネル７の１つの角部から僅かに離れたところに、各ボス１１Ａ，１１Ｂが位置している。
【００４４】
続いて、図５で示すように、液晶パネル７を覆うようにベゼル９をケース３の正規に位置に設置する。図５に示す状態では、各貫通穴１３Ａ，１３Ｂに各ボス１１Ａ，１１Ｂが挿入されており、ベゼル９の係合爪２３がケース３の被係合部に係合している。
【００４５】
ところで、図６で示すように、ケース３に設けられている液晶パネル収納部５の正規の位置に液晶パネル７が設置されておらず、液晶パネル７がボス１１Ａ，１１Ｂに乗り上げて斜めになっている状態で、ベゼル９を液晶パネル７やケース３に被せて設置しようとすると、図７で示すように、位置ずれを起こしている液晶パネル７が邪魔になって、ベゼル９を設置することができないようになっている。
【００４６】
液晶パネルの取り付け構造１によれば、ケース３に位置決めボス１１が設けられているので、液晶パネル７やベゼル９がケース３に設けられている液晶パネル収納部５の正規の位置に設置されない事態が発生することを極力回避することができる。
【００４７】
また、位置決めボス１１が設けられているので、液晶パネル７を液晶パネル収納部５に設置する際に、液晶パネル７の角部が位置決めボス１１に載り上げる液晶パネル７の位置ずれが発生すると、液晶パネル７が斜めになり、液晶パネル７の位置ずれの検知が容易になる。
【００４８】
また、液晶パネル７を設置するときに液晶パネル７に位置ずれが生じて液晶パネル７が位置決めボス１１に載り上げると、液晶パネル７が斜めになって液晶パネル７の姿勢が不安定になるので、液晶パネル７が位置決めボス１１からはずれて正規の位置に戻りやすくなっている。
【００４９】
また、液晶パネル７を設置するときに、液晶パネル７の位置ずれが生じて液晶パネル７が位置決めボス１１に載り上げると、ボス１１が隠れてしまうので、ベゼル９の位置決めが不可能になり、また、ベゼル９の係合爪２３がケース３の被係合部に合致せず、ベゼル９の取り付けが不可能になり、液晶パネル７を誤って設置することによる液晶パネル７の破損等を防止することできる。
【００５０】
さらに、液晶パネルの取り付け構造１によれば、各ボス１１Ａ，１１Ｂが液晶パネル収納部５の１つの角部２１の近傍に設けられているので、液晶パネル収納部５の正規の位置に液晶パネル７を設置するときや、ケース３の正規の位置にベゼル９を設置する場合、視線を移動せずに液晶パネル７やベゼル９を位置決め設置することができ、組立作業の負担が軽減される。
【００５１】
また、液晶パネルの取り付け構造１によれば、各ボス１１Ａ，１１Ｂが四角形状に形成され各貫通穴１３Ａ，１３Ｂが矩形状に形成されているので、簡素な構成で、ケース３とベゼル９とを接触させて、ベゼル９の位置決めをすることができる。
【００５２】
また、ボス１１に斜面２９が形成されているので、ケース３に対するベゼル９の位置決め（各ボス１１Ａ，１１Ｂの各貫通穴１３Ａ，１３Ｂへの挿入）がし易くなっていると共に、液晶パネル収納部５に液晶パネル７を設置する際に液晶パネル７の位置ずれが生じて液晶パネル７の端部がボス１１に載り上げた場合、液晶パネル７の端部がボス１１からはずれて、液晶パネル収納部５に落ち込み易くなっており、液晶パネル７が正規の位置に設置されやすくなっている。
【００５３】
また、ケース３の色とベゼル９の色とをお互いに異なったものとすることにより、各貫通穴１３Ａ，１３Ｂと各ボス１１Ａ，１１Ｂとの視認性が向上し、各貫通穴１３Ａ，１３Ｂに各ボス１１Ａ，１１Ｂを挿入する作業がしやすくなる。
【符号の説明】
【００５４】
１  液晶パネルの取り付け構造
３  ケース
５  液晶パネル収納部
７  液晶パネル
９  ベゼル
１１（１１Ａ，１１Ｂ）  位置きめボス
１３（１３Ａ，１３Ｂ）  位置決め穴
【図１】
2010243620.tif 000003
【図２】
2010243620.tif 000004
【図３】
2010243620.tif 000005
【図４】
2010243620.tif 000006
【図５】
2010243620.tif 000007
【図６】
2010243620.tif 000008
【図７】
2010243620.tif 000009
【図８】
2010243620.tif 000010
【図９】
2010243620.tif 000011